(57)【要約】【課題】効果的に節水を果たすことができるとともに、排水用凹部洗浄のために使用者が特別の操作を行うことを不要となし得る給排水装置を提供する。【解決手段】給水管に接続された水栓の吐水口からシンク１０内に給水を行うとともに、シンク１０の底部３０から下向きに凹陥した形態の排水ボウル３２の底部６０の排水口６２から、シンク１０に受けた水を排水管５０に排水する給排水装置において、排水ボウル３２の内部には回転シャフト８６とともに回転する回転羽根１３８を設けて、給水管から吐水口までの給水流路の流れの力を駆動力として回転羽根１３８を回転駆動し、排水ボウル３２内の排水に対して回転羽根１３８の回転の力を作用させて排水ボウル３２内を洗浄する洗浄水流を生ぜしめるようにする。【選択図】        図２
2014025207.tif 000002
【特許請求の範囲】
【請求項１】
給水管に接続された水栓の吐水口から水受槽内に給水を行うとともに、該水受槽の底部から下向きに凹陥した形態の排水用凹部の排水口から、該水受槽に受けた水を排水管に排水する給排水装置において、
前記排水用凹部の内部には回転軸線周りに回転する回転羽根を設けて、前記給水管から前記吐水口までの給水流路の流れの力を駆動力として該回転羽根を回転駆動し、前記排水用凹部内の排水に対して該回転羽根の回転の力を作用させて該凹部内を洗浄する洗浄水流を生ぜしめるようになしたことを特徴とする給排水装置。
【請求項２】
請求項１において、前記排水用凹部の底部に前記排水口が設けてあり、
前記回転羽根は、前記回転軸線が該排水口の内側で上下向きとなり、少なくとも上端が前記排水用凹部における底面の該排水口周りの縁部よりも上側に位置する状態に設けてあることを特徴とする給排水装置。
【請求項３】
請求項１，２の何れかにおいて、前記給水流路には該給水流路の流れの力で回転する水車を設けて、該水車に水車側磁石を一体回転状態に設けるとともに、該水車側磁石に対し隔壁で隔てた位置に前記回転羽根と一体回転する羽根側磁石を設けて、該水車側と該羽根側とを磁気カップリングさせ、該水車による駆動力を前記回転羽根に及ぼして回転駆動するようになしたことを特徴とする給排水装置。
【請求項４】
請求項１，２の何れかにおいて、前記回転羽根は、前記回転軸線を中心として法線方向に直線状に延びる形状となしてあることを特徴とする給排水装置。
【請求項５】
請求項１において、前記排水用凹部は、底部に排水口を有する上側の第１の排水用凹部と、排水トラップを構成する下側の第２の排水用凹部とを有しており、該第２の排水用凹部の内部に封水に回転力を与える前記回転羽根が設けてあることを特徴とする給排水装置。
【発明の詳細な説明】
【技術分野】
【０００１】
この発明はシンクを備えた流し台等に適用して好適な給排水装置に関する。
【背景技術】
【０００２】
通常、流し台のシンク（水受槽）には、その底部から凹陥した形態の排水ボウル（排水用凹部）が設けられており、流し台に備えた水栓（流し台水栓）の吐水口からの吐水（給水）が、シンクからこの排水ボウル内に流れ込み、更にその排水ボウルの底部に設けた排水口から排水管へと排水されるようになっている。
またその排水ボウル内には、一般に生ごみ等を入れるごみ籠が収容されるようになっている。
【０００３】
この排水ボウル等の排水用凹部の内面には、栄養分を取り込んで増殖した菌類やその死骸またその代謝物等が堆積することによるヌメリが生じがちである。
このようなヌメリその他の油分等の汚れが付着した状態は非衛生的であり、また悪臭の元となる。
流し台のシンクには、また、底部から凹陥した形態で排水トラップを構成する排水用凹部が設けられることもあり、この場合においても排水用凹部の内面に汚れが付着し、また堆積する問題がある。
【０００４】
従来、このような排水用凹部を洗浄するための装置が種々提案されている。
例えば下記特許文献１には「シンク排水トラップ」についての考案が示され、そこにおいてゴミを入れる網かご（９）を内側に収容する筒（３ａ）にスプレーノズル（５）を取り付けて、これを給湯管（１ｂ）に接続し、流し台のキャビネットに備えた切換え装置（７ｂ）の作動ボタンを使用者が押すことで、電磁弁（７ａ）を開いてスプレーノズル（５）から湯を噴射し、筒（３ａ）内に湯の強い旋回流を形成して汚物を洗浄し、排除するようになした点が開示されている。
【０００５】
また下記特許文献２には、排水用凹部を構成する排水装置本体（１）内の排水トラップ（３）近傍において、給水源に連通する洗浄ノズル（７）を斜め下向きに複数配置し、それら洗浄ノズル（７）から、水道分岐管（１３）からの水を噴射して封水に渦流を発生させ、封水部（６）内の厨芥垢類を除去するようになした点が開示されている。
【０００６】
しかしながらこれら従来の装置は、何れも上水を単に洗浄のためだけに吐水するもので、そのための特別な操作を使用者が行わなければならず、洗浄操作のために手間を要する問題がある他、洗浄のために吐水された上水はそのまま排水されることから、洗浄の頻度が高いと水の使用量が多く、節水が叫ばれる今日にあって問題がある。
【先行技術文献】
【特許文献】
【０００７】
【特許文献１】実開平１−１５６２７４号公報
【特許文献２】実開平６−４９５６８号公報
【発明の概要】
【発明が解決しようとする課題】
【０００８】
本発明は以上のような事情を背景とし、効果的に節水を果たすことができるとともに、排水用凹部洗浄のための使用者が特別の操作を行うことを不要となし得る給排水装置を提供することを目的としてなされたものである。
【課題を解決するための手段】
【０００９】
而して請求項１のものは、給水管に接続された水栓の吐水口から水受槽内に給水を行うとともに、該水受槽の底部から下向きに凹陥した形態の排水用凹部の排水口から、該水受槽に受けた水を排水管に排水する給排水装置において、前記排水用凹部の内部には回転軸線周りに回転する回転羽根を設けて、前記給水管から前記吐水口までの給水流路の流れの力を駆動力として該回転羽根を回転駆動し、前記排水用凹部内の排水に対して該回転羽根の回転の力を作用させて該凹部内を洗浄する洗浄水流を生ぜしめるようになしたことを特徴とする。
【００１０】
請求項２のものは、請求項１において、前記排水用凹部の底部に前記排水口が設けてあり、前記回転羽根は、前記回転軸線が該排水口の内側で上下向きとなり、少なくとも上端が前記排水用凹部における底面の該排水口周りの縁部よりも上側に位置する状態に設けてあることを特徴とする。
【００１１】
請求項３のものは、請求項１，２の何れかにおいて、前記給水流路には該給水流路の流れの力で回転する水車を設けて、該水車に水車側磁石を一体回転状態に設けるとともに、該水車側磁石に対し隔壁で隔てた位置に前記回転羽根と一体回転する羽根側磁石を設けて、該水車側と該羽根側とを磁気カップリングさせ、該水車による駆動力を前記回転羽根に及ぼして回転駆動するようになしたことを特徴とする。
【００１２】
請求項４のものは、請求項１，２の何れかにおいて、前記回転羽根は、前記回転軸線を中心として法線方向に直線状に延びる形状となしてあることを特徴とする。
【００１３】
請求項５のものは、請求項１において、前記排水用凹部は、底部に排水口を有する上側の第１の排水用凹部と、排水トラップを構成する下側の第２の排水用凹部とを有しており、該第２の排水用凹部の内部に封水に回転力を与える前記回転羽根が設けてあることを特徴とする。
【発明の作用・効果】
【００１４】
以上のように本発明は、水受槽の排水用凹部の内部に回転羽根を設けて、給水管から吐水口までの給水流路の流れの力を駆動力として回転羽根を回転駆動し、水栓の吐水口からの吐水即ち給水により排水用凹部内に流れ込んだ排水に対し回転羽根の回転の力を作用させて、凹部内を洗浄する洗浄水流を生ぜしめるようになしたものである。
【００１５】
本発明において、排水用凹部内の回転羽根は自身に排水の流れが当ることによって回転するのではなく、給水管から吐水口までの給水流路の流れの力を駆動力として強制的に回転駆動されるため、排水用凹部内に強い洗浄水流を生ぜしめ得て、排水用凹部内を効果高く洗浄することが出来る特長を有する。
【００１６】
本発明では、吐水口から吐水を行うと回転羽根が回転して自動的に排水用凹部内を洗浄する。
従って使用者は排水用凹部内を洗浄するための特別の操作を行う必要は無いので、洗浄のために手間を要するといったことが無く、洗浄のための負担は使用者には掛からない。
即ち本発明では、使用者が洗浄をしようとする意識をもたなくても、水栓を使用すれば自動的に回転羽根が回って排水用凹部内が洗浄される。
【００１７】
また本発明では、シンク等の水受槽で水栓を用いて水作業をすると、その排水自体が洗浄水流となって凹部内を洗浄するため、従来の装置のように上水を洗浄のみのためにだけ吐水する場合と比べて、水を洗浄のためだけに使用してしまうといったことがなく、節水を図ることができる。
【００１８】
本発明では回転羽根を複数設けておくことが望ましいが、場合によって回転羽根を１つだけ設けておくといったことも可能である。
また回転羽根の回転により、渦流ないし旋回流を洗浄水流として発生させるようになすことができるが、その他様々の洗浄水流を生ぜしめることで凹部内を洗浄するようになすこともできる。
【００１９】
本発明では、排水用凹部の底部に排水口を設け、そして回転羽根を、回転軸線が排水口の内側で上下向きとなり、少なくとも上端が排水用凹部における底面の、排水口周りの縁部よりも上側に位置する状態に設けておくことができる（請求項２）。
【００２０】
この請求項２において、排水用凹部内の回転羽根は、上記のようにこれに衝突する水流の勢いで回転するのではなく、他部で発生した駆動力、具体的には給水管から吐水口までの給水流路の流れによって発生した駆動力にて強制的に回転駆動される。
この場合、排水用凹部内で強制駆動で回転する、上記のように配置した回転羽根は、シンク等の水受槽の底部から排水用凹部内に流れ込み、更にその排水用凹部の底部を排水口に向って流れる排水の流れに対して抵抗体として働く。
【００２１】
即ち強制駆動で回転する回転羽根は、排水用凹部の周壁を伝って流下し、更にその底部を経て排水口に、その周りから流れ込もうとする排水に対し、自身を回転方向に当て、排水口に向う流れに抵抗を与えて流れを阻害するように作用するとともに、更に加えて自身の回転による遠心力をその流れに作用させ、排水口に向おうとする水の流れを逆方向、即ち排水口から遠ざかる方向に押し返し、その作用によって排水口周りに水を滞留させる。
のみならずこの回転羽根は、その滞留した水に対して自身の回転による遠心力の作用で撹拌作用を及ぼしつつ渦流等の洗浄水流、詳しくは排水用凹部内を洗浄する洗浄水流を生ぜしめる。
【００２２】
発生した洗浄水流は排水用凹部の内面に勢い良く当って、その内面に付着した、ヌメリに至る前の菌とその栄養分や油分その他の汚れを除去し、同内面を洗浄する。
また排水用凹部内にごみ籠が収容されている場合には、同じくその洗浄水流をごみ籠の主として下面を含む外面に当てて、これを洗浄する。
【００２３】
本発明では給水流路に水車を設けて、その水車に水車側磁石を一体回転状態に設けるとともに、水車側磁石に対し隔壁で隔てた位置に回転羽根と一体回転する羽根側磁石を設けて、水車側と回転羽根の側とを磁気カップリングさせ、水車による駆動力を回転羽根に及ぼして回転駆動するようになしておくことができる（請求項３）。
【００２４】
本発明ではまた、上記回転羽根の形状を、回転軸線を中心として法線方向に直線状に延びる形状となしておくことができる（請求項４）。
ここで法線方向とは、回転軸線を中心とする回転軸線周りの円に対する法線方向を意味する。
このようにすれば、回転羽根の回転により、排水に対し効果的に遠心力を及ぼすことができ、渦流等の洗浄水流を効果的に生ぜしめることができる。
【００２５】
特に請求項２においては、回転羽根の回転により、排水用凹部の底部から排水口に向う水の流れに対し効果的に抵抗を与えることができるとともに、回転による遠心力を排水に対して効果的に及ぼして排水を排水口から遠ざかる方向に押し返し、排水口周りに滞留水を生ぜしめ且つその滞留水にて洗浄水流を効果的に生ぜしめることができる。
【００２６】
本発明では、排水用凹部を、底部に排水口を有する上側の第１の排水用凹部と、排水トラップを構成する下側の第２の排水用凹部とを有するものとなし、そして第２の排水用凹部内に封水に回転力を与える回転羽根を設けておくことができる（請求項５）。
このようにすれば、封水に洗浄水流を生ぜしめて第２の排水用凹部の内面を洗浄することができるとともに、封水の上面に浮いた浮遊物の第２の排水用凹部や排水管への固着を避けることができる。
【００２７】
この場合において、上側の第１の排水用凹部にも回転羽根を設けておくこと、第１の排水用凹部においては、回転羽根を、回転軸線が排水口の内側で上下向きとなり、少なくとも上端が排水用凹部における底面の、排水口周りの縁部よりも上側に位置する状態に設けておくこと、上側の第１の排水用凹部と下側の第２の排水用凹部の回転羽根とを、共通の回転シャフトに一体回転状態に設けておくこと、またそれら第１の排水用凹部の回転羽根と第２の排水用凹部の回転羽根とを、請求項３の水車による駆動力にて回転駆動するようになすこと、第２の排水用凹部の回転羽根もまた回転軸線を中心として法線方向に直線状に延びる形状となしておくことが可能である。
【図面の簡単な説明】
【００２８】
【図１】本発明の一実施形態である給排水装置を含むシンクと周辺部を示した図である。
【図２】図１の給排水装置の要部断面図である。
【図３】図２の排水ボウル及びその周辺部を拡大して示した断面図である。
【図４】図２の水車ユニット及びその周辺部を拡大して示した断面図である。
【図５】同実施形態における羽根車を示した図である。
【図６】同実施形態の作用説明図である。
【図７】図６とは異なる作用説明図である。
【図８】本発明の他の実施形態の要部を示した図である。
【発明を実施するための形態】
【００２９】
次に本発明の実施形態を図面に基づいて詳しく説明する。
図１において、１０は流し台（図示省略）に備えられたシンク（水受槽）で、このシンク１０に流し台水栓（以下単に水栓とする）１２が設けられている。ここで水栓１２はシングルレバー式の混合水栓である。
水栓１２は、シンク１０の頂面から起立する水栓本体１４と、水栓本体１４からシンク１０の中央側に向かって延び出した吐水管１６とを有している。吐水管１６の先端には吐水口１８が備えられている。
また水栓本体１４の内部には、水と湯とを混合する混合部が備えられている。
【００３０】
２０はレバーハンドルで、このレバーハンドル２０の操作により吐水口１８からの吐水と止水及び吐水の流量調節、更に吐水の温度調節が行われる。
水栓１２には、水，湯をそれぞれ給水する給水管２２が接続されている（図では一方の給水管２２のみ示され、他方の給水管２２は図示省略されている）。
２４は水栓１２の混合部からの水を吐水口１８に導く給水流路を内側に形成する配管で、この配管２４に後述の水車ユニット２５が接続されている。
【００３１】
図中２４Ａは、混合弁から出た水を水車ユニット２５に流入される入側の配管、２４Ｂは水車ユニット２５から流出した水を吐水口１８側に導く出側の配管で、それぞれの一端部が水車ユニット２５の後述の水車ハウジング２６に接続されている。
【００３２】
図２において、２８はシンク１０の底部３０から凹陥した形態で構成された排水用凹部で、この例において排水用凹部２８は、上側の第１の排水用凹部を構成する排水ボウル３２と、下側の第２の排水用凹部を構成する、排水トラップ３４の外筒３６とを有している。
排水ボウル３２は、上端に径方向外方に環状に張り出したフランジ部３８を有しており、そのフランジ部３８を、シンク１０における底部３０の開口４０縁部に掛止させる状態に底部３０に取り付けられている。
【００３３】
４２は、排水ボウル３２内部に収容された、生ごみ等を入れるごみ籠で、上端部に断面Ｌ字状且つ周方向にリング状をなす枠部４３を有しており、この枠部４３を排水ボウル３２の環状の段付部４４に掛止させる状態に、排水ボウル３２内部に保持されている。
ここでごみ籠４２は、枠部４３を除くほぼ全体がメッシュにて構成されている。
【００３４】
排水トラップ３４は、外筒３６と、その内側に上側から下向きに挿入された内筒４６とを有しており、それら外筒３６と内筒４６とによって下部に封水４８を保持している。
排水トラップ３４は、封水４８を保持することによって排水管５０の側からシンク１０内への臭気の逆流を防止する。
【００３５】
外筒３６には、その上部に排水口（第２の排水口）５８が横向きに設けられており、この排水口５８から円筒形状の接続管５２が突き出している。
接続管５２の内部には排水管５０の端部が内嵌状態に嵌合されており、それら接続管５２と排水管５０とが、それぞれに形成されたフランジ部５４を重ね合せ状態で挟持するクリップ５６にて抜止状態に接続されている。
ここで内筒４６は、上端と下端とが開口形状とされており、シンク１０からの排水は、内筒４６の上端の開口から内筒４６内に流入して流下し、そしてその下端の開口から、内筒４６と外筒３６との間に流出して、外筒３６の上記横向きの排水口５８から排水管５０へと流出し、外部に排出される。
【００３６】
図３に示すように、上記排水ボウル３２は円形の周壁部５９と、底部６０とを有している。
底部６０には、その中心部に開口が形成されており、その開口の内側に上記の内筒４６の上端部が配置されている。
この内筒４６の上端の開口は、排水ボウル３２における排水口６２となるもので、排水ボウル３２内の排水はこの排水口６２を通じて下方に排出される。
排水ボウル３２の開口の縁部には、径方向内向きの環状のフランジ部６４が設けられており、そのフランジ部６４に対して、外筒３６の上端部と内筒４６の上端部とが取り付けられている。
【００３７】
６６，６８は、内筒４６の上端部及び外筒３６の上端部を排水ボウル３２のフランジ部６４に取り付けるための取付部材で、何れも円形のリング状をなしている。
これら取付部材６６，６８はフランジ部７０，７２を有しており、それらフランジ部７０，７２にて排水ボウル３２のフランジ部６４を上下両側から挟み込む状態に、取付部材６６の外周面の雄ねじと、取付部材６８の内周面の雌ねじとのねじ結合で、排水ボウル３２のフランジ部６４に固定されている。
【００３８】
そして取付部材６６に対して、内筒４６の上端部が内嵌状態に嵌合された上で、内筒４６の上端の掛止部７４が、取付部材６６の内面の段付部に掛止されることで、内筒４６が取付部材６６，６８を介して排水ボウル３２のフランジ部６４に取り付けられ、保持されている。
尚、内筒４６は取付部材６６に対して、図中上側から下向きに差し込まれることで、取付部材６６に取り付けられ、保持される。
【００３９】
一方外筒３６は、その上端部が取付部材６８の円筒状の嵌合部７６に対して内嵌状態に嵌合された上、それぞれに設けられたフランジ部７８が互いに重ね合せ状態でクリップ８０により挟持されることで、取付部材６８に取り付けられ、保持されている。
【００４０】
尚、内筒４６の上端部からは径方向内方にアーム８２が延び出しており、その内端部において、後述の回転シャフト８６を回転可能に嵌入させてこれを径方向に支持する円筒状の支持部８４を構成している。
図２に示しているように、内筒４６の下端部からも同様にアーム８２が径方向内方に延び出しており、その内端部において、回転シャフト８６を回転可能に嵌入させてこれを径方向に支持する円筒状の支持部８４を構成している。
【００４１】
ここで回転シャフト８６は、排水口６２の内側の中心位置に且つ上下向きに配置されており、排水ボウル３２の内部に設けられた羽根車８８が、その上端部に一体回転状態に連結されている。
羽根車８８の具体的構成や配置位置及び作用については後述する。
【００４２】
図４に示しているように、回転シャフト８６の下端には有底の円筒部９０が設けられており、その円筒部９０にドーナツ環状の磁石９２が取り付けられている。
ここで磁石９２は、上記の羽根車８８と一体に回転する羽根側磁石となる。
この円筒部９０の上底部には、回転シャフト８６から放射状に、即ち法線方向に直線状に延びる形状の回転羽根９４が、一体回転状態に設けられている。
ここで回転羽根９４は、封水４８に回転力を与えて、封水に渦流を洗浄水流として生ぜしめる働きを有する。
【００４３】
上記外筒３６は下端部に開口９６を有しており、その開口９６がキャップ９８にて閉鎖されている。
キャップ９８は、外筒３６の開口９６周りに形成された円筒部１００に対して外嵌状態に嵌合されている。
このキャップ９８には、円筒状の凹部１０２が設けられており、その凹部１０２内に、上記の磁石９２を含む円筒部９０の下部が回転可能に収容されている。
尚、キャップ９８にはその中心部において上向きに突出する支持軸１０４が設けられており、その支持軸１０４によって回転シャフト８６を回転可能に上向きに支持している。
【００４４】
キャップ９８の下側には、上記の水車ユニット２５が配置されており、その水車ユニット２５の水車ハウジング２６が、キャップ９８に対してクリップ１０６にて取り付けられている。
詳しくは、キャップ９８と水車ハウジング２６とのそれぞれに設けられたフランジ部１０８を重ね合せ状態で挟持するクリップ１０６にて、水車ハウジング２６がキャップ９８に取り付けられている。
【００４５】
水車ハウジング２６の内部には水車１１０が回転可能に収容されている。
水車１１０は外周部に羽根１１２を有している。また本体部１１４には、ドーナツ環状を成す磁石１１６が設けられている。
磁石１１６は水車側磁石となるもので、この磁石１１６に対して上記の羽根側磁石となる磁石９２が、給水流路の一部を形成する水車ハウジング２６，及び上記のキャップ９８を隔壁として、その内側位置に配置され、径方向に対向せしめられている。
【００４６】
即ちこれら磁石１１６，９２によって水車１１０と回転シャフト８６、即ち上記の羽根車８８とが磁気カップリングされている。そしてその磁気カップリングにより、水車１１０の回転の力が回転シャフト８６を経て排水ボウル３２内の上記の羽根車８８に伝えられ、羽根車８８が水車１１０と一体に排水ボウル３２内で回転せしめられる。
つまり水栓１２の混合部から吐水口１８までの給水流路の流れの力を駆動力として、羽根車８８が排水ボウル３２内で強制的に回転駆動せしめられる。
水車１１０は、底部１１８から上下方向に突出する回転軸１２０を有しており、その回転軸１２０の下端部と上端部とが、水車ハウジング２６に設けられた軸受部１２２，１２４にて回転可能に支持されている。
【００４７】
水車ハウジング２６には、流入口１２６と流出口１２８とが設けられており、図１に示した入側配管２４Ａからの水は、この流入口１２６から水車ハウジング２６内に流入して、その流れを水車１１０の羽根１１２に対して水車１１０を一定方向に回転させる向きに当て、これを回転させる。
そして水車１１０を通過した水が流出口１２８から流出する。
流出した水は、出側配管２４Ｂにて水栓１２の吐水口１８へと導かれ、そして吐水口１８からシンク１０内に吐水される。即ちシンク１０内に水栓１２からの水として給水される。
【００４８】
排水ボウル３２の内部に配置された上記の羽根車８８は、図５に示しているように中心部にハブ１３０を、外周部に円形のドーナツ環状の板状部１３２を有し、それらの間に開口１３４を形成している。
また中心部のハブ１３０と外周部の板状部１３２とは、アーム１３６にて連結されている。
【００４９】
外周部の板状部１３２は、図５（Ｂ）に示しているように中心側から外周側に向かって上向きに傾斜した形状をなしている。そしてその板状部１３２の下側において、側面形状及び正面形状が三角形状をなす回転羽根１３８が、周方向に沿って一定間隔毎に複数設けられている。
ここで回転羽根１３８は、羽根車８８の中心側から放射方向に即ち法線方向に直線状に延びる形状とされている。
尚、板状部１３２の内周側の付根部は全周に亘り板状部１３２の他部よりも厚肉に構成されており、その厚肉部１４０が、図５（Ｃ）に示しているようにアーム１３６とともに下向きに突出せしめられている。
【００５０】
上記ハブ１３０は、これら厚肉部１４０よりも更に下向きに突出せしめられている。
このハブ１３０には、図５（Ｂ）に示しているように下向きに開口した嵌込孔１４２が設けられており、そこに上記の回転シャフト８６の上端部が圧入嵌合され、羽根車８８が回転シャフト８６と一体に回転せしめられるようになっている。
【００５１】
図２及び図３に示しているように、羽根車８８は排水ボウル３２における排水口６２の真上位置に配置されており、そして羽根車８８に備えられた複数の回転羽根１３８のそれぞれが、排水ボウル３２における底部６０の上面（底面）、詳しくは底面における排水口６２周りの縁部６０ａよりも全体的に上側に位置せしめられている。
【００５２】
この実施形態では、使用者が水栓１２のレバーハンドル２０を操作して吐水口１８から吐水し水作業を行うと、吐水口１８から吐水された水即ち給水された水はシンク１０にて受けられて、シンク１０の底部３０から図６に示しているように排水ボウル３２の内部へと排水される。
【００５３】
このときシンク１０の底部３０を流れた水（排水）は、排水ボウル３２の周壁部５９の内面を伝って流下し、排水ボウル３２の底部６０へと至る。
底部６０に至った排水は、その底部６０に沿って排水口６２に向う流れとなり、その流れが排水口６２周りの全周から排水口６２に向って求心方向に流れ込もうとする（その際に排水の流れは排水口６２周りの全周から排水口６２に向う求心方向の流れとなるために、その流れは羽根車８８即ち回転羽根１３８を特定の一方向に回転させる力としては働かない）。
【００５４】
このとき排水ボウル３２内の羽根車８８は、配管２４内の給水流路の流れの力を駆動力として既に強制的に回転駆動されている。
そのため排水ボウル３２内の排水が底部６０に沿って排水口６２に流れ込もうとしたときに、強制駆動で回転する羽根車８８の回転羽根１３８が、その排水の流れに対して回転方向に当り、排水口６２に向う排水の流れの抵抗となって排水口６２への流入を抑制する。
【００５５】
回転羽根１３８は、その流れの抵抗体となるのみならず、自身の回転による遠心力を排水の流れに作用させて、図６に示しているように排水を排水口６２から遠ざかる方向に押し返し、その作用によって排水口６２周りに排水を滞留させる。
のみならず回転羽根１３８は、その滞留水に対し遠心力を働かせることで、撹拌作用を及ぼしつつ渦流等の洗浄水流を生ぜしめる。
【００５６】
発生した洗浄水流は排水ボウル３２の内面に勢い良く当って、その内面に付着した、ヌメリに至る前の菌とその栄養分や油分その他の汚れを除去し、排水ボウル３２の内面を洗浄する。
併せて発生した洗浄水流はごみ籠４２の外面、主としてその下面に当って、そこに付着した汚れを併せて除去し、洗浄作用する。
【００５７】
洗浄後の水は、その後その一部が羽根車８８の回転継続中に排水口６２を経て排水トラップ３４内に流入し、或いは水栓１２からの給水停止によってその全体が排水口６２から排水トラップ３４へと流入し、更に続いて横向きの排水口５８から排水管５０内に流れ出て、排水管５０を通じ外部に排出される。
【００５８】
尚、回転羽根１３８による排水の押し返しの量が過剰になると、押し返された排水が排水ボウル３２からシンク１０の底部３０側に溢れてしまう恐れがあるが、本実施形態では滞留水が過剰になったときには、その過剰な滞留水が羽根車８８の開口１３４を通じて排水口６２内に流出できるため、羽根車８８周りに過剰な滞留水が生じて、その排水が羽根車８８による遠心力の作用でシンク１０の底部３０側に溢れる現象を良好に防ぐことができる。
【００５９】
本実施形態ではまた、回転シャフト８６の回転とともに、排水トラップ３４の底部に設けられた回転羽根９４が回転して、封水４８にその回転の力を作用させ、封水４８に渦流等の洗浄水流を生ぜしめ、外筒３６の内面，内筒４６の外面等を洗浄作用する。
またこのとき封水４８が内筒４６周りに旋回流を生じるため、封水４８の上面に浮遊していた油分その他の浮遊物を、排水口５８を形成している堰５８ａを乗り越えて排水管５０内に円滑に排出せしめる。
【００６０】
その際図７に示す排水路１４４の中心軸線が、排水トラップ３４における外筒３６の周壁に対して直角の向きをなしていると、封水４８の上面に浮遊した浮遊物のうち排水口５８に近い側の浮遊物は、排水口５８から排水管５０内に、つまり排水路１４４内に比較的流出し易いが、これとは周方向に１８０°隔たった位置の封水４８上の浮遊物は排水口５８の位置まで内筒４６周りを移動し難く、従って排水口５８を通過して排水路１４４内に円滑に流出し難いが、この実施形態では、図７に示すように排水路１４４の中心軸線が外筒３６の周壁に対し斜めに交差するように排水路１４４が設けられているため、詳しくは排水路１４４内面と外筒３６内面との接続部分が、外筒３６内面の接線方向ないしこれに近い方向に延びているため、排水口５８とは周方向に１８０°隔たった位置の浮遊物もまた、良好に排水口５８へと導かれて排水口５８から排水路１４４を通じ流出することができ、外筒３４や排水管５０への浮遊物の固着を避けることができる。
【００６１】
以上のように本実施形態では、吐水口１８から吐水を行うと回転羽根１３８が回転して自動的に排水ボウル３２内を洗浄する。
従って使用者は排水ボウル３２内を洗浄するための特別の操作を行う必要は無いので、洗浄のために手間を要するといったことが無く、洗浄のための負担は使用者には掛からない。
即ち本実施形態では、使用者が洗浄をしようとする意識をもたなくても、水栓を使用すれば自動的に回転羽根１３８が回って排水ボウル３２内が洗浄される。
【００６２】
また本実施形態では、シンク１０で水栓１２を用いて水作業をすると、その排水自体が洗浄水流となって排水ボウル３２内を洗浄するため、従来の装置のように上水を洗浄のみのためにだけ吐水する場合と比べて、水を洗浄のためだけに使用してしまうといったことがなく、節水を図ることができる。
【００６３】
本発明において、排水ボウル３２内の回転羽根の形状は、他の様々な形状とすることが可能である。
図８はその一例を示している。
この例では、回転羽根１３８が下向きに垂下しておらず、斜め下方に傾斜した形状とされている。
その他本発明では、回転羽根が排水をスプリンクラーの様に吹き上げてごみ籠４２に当て、これを洗浄するように回転羽根の形状を構成したり、或いは排水ボウル３２の底部６０を伝って排水口６２に向い流れて来た水を回転羽根ですくい上げた上、これに遠心力を作用させるように構成するといったことも可能である。
その他に回転羽根の形状については他の様々な形状とすることが可能である。
【００６４】
以上本発明の実施形態を詳述したがこれはあくまで一例示である。
例えば本発明においては、場合によって回転羽根の下側の一部が排水ボウル３２の底面の縁部６０ａよりも下側に位置するように回転羽根を構成するといったことの可能であるし、また排水ボウル３２内の羽根車に直接円筒状の磁石を設ける一方、水車ハウジングを同じ高さ位置でその羽根車と同心状に外側に配置し、水車と羽根車とを回転シャフト８６を経由しないで直接磁気カップリングさせるようになすことも可能である。
更に本発明においては排水用凹部として第１の排水用凹部だけを設けておくことも可能であるし、またその場合においてその第１の排水用凹部を排水トラップを形成するための外筒として構成しておくといったことも可能である。
また第１の排水用凹部と第２の排水用凹部とを設けた場合において、その第２の排水用凹部にのみ回転羽根を設けておくといったことも可能である。
その他本発明はシンク以外の水受槽に適用し、その水受槽から凹陥した形態の排水用凹部を洗浄するための給排水装置として適用することも可能である等、本発明はその趣旨を逸脱しない範囲において種々変更を加えた形態で構成可能である。
【符号の説明】
【００６５】
１０  シンク
１２  水栓
１６  吐水管
１８  吐水口
２２  給水管
２８  排水用凹部
３０  底部
３２  排水ボウル（第１の排水用凹部）
３４  排水トラップ
３６  外筒（第２の排水用凹部）
５０  排水管
５８，６２  排水口
６０  底部
８８  羽根車
９２，１１６  磁石
９４，１３８  回転羽根
１１０  水車
【図１】
2014025207.tif 000003
【図２】
2014025207.tif 000004
【図３】
2014025207.tif 000005
【図４】
2014025207.tif 000006
【図５】
2014025207.tif 000007
【図６】
2014025207.tif 000008
【図７】
2014025207.tif 000009
【図８】
2014025207.tif 000010